(57)【特許請求の範囲】
【請求項１】
レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、前記コリメータとマスクとの間に、コリメータのレンズの焦点よりも焦点距離が長い第一のレンズを、レーザ光路に対して移動自在に設けたことを特徴とするレーザ加工装置。
【請求項２】
第一のレンズをレーザ光路に沿った方向に移動自在とした請求項１記載のレーザ加工装置。
【請求項３】
加工プログラムに応じて、レーザ発振器、コリメータ、マスクを制御する制御部と、第一のレンズを駆動する駆動手段とを備え、第一のレンズをレーザ光路に沿った方向に移動させる信号を前記制御部から前記駆動手段へ出力可能とした請求項１または２記載のレーザ加工装置。
【請求項４】
第一のレンズをレーザ光路に対して外れる方向および入る方向に移動自在とした請求項１記載のレーザ加工装置。
【請求項５】
加工プログラムに応じて、レーザ発振器、コリメータ、マスクを制御する制御部と、第一のレンズを駆動する駆動手段とを備え、第一のレンズをレーザ光路に対して外れる方向および入る方向に移動させる信号を前記制御部から前記駆動手段へ出力可能とした請求項１または４記載のレーザ加工装置。
【請求項６】
レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、前記コリメータとマスクとの間に、コリメータのレンズの焦点よりも焦点距離が長い複数種の第一のレンズを交換自在に配置したことを特徴とするレーザ加工装置。
【請求項７】
加工プログラムに応じて、レーザ発振器、コリメータ、マスクを制御する制御部と、第一のレンズをレーザ光路へ出し入れする駆動手段とを備え、複数種の第一のレンズのうち所望のレンズのみをレーザ光路に入れる駆動信号を、前記制御部から前記駆動手段へ出力可能とした請求項６記載のレーザ加工装置。
【請求項８】
レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、レーザ光路上のマスク後方に、コリメータのレンズの焦点よりも焦点距離が長い第二のレンズを、レーザ光路に対して移動自在に設けたことを特徴とするレーザ加工装置。
【請求項９】
第二のレンズをレーザ光路に沿った方向に移動自在とした請求項８記載のレーザ加工装置。
【請求項１０】
加工プログラムに応じて、レーザ発振器、コリメータ、マスクを制御する制御部と、第二のレンズを駆動する駆動手段とを備え、第二のレンズをレーザ光路に沿った方向に移動させる信号を前記制御部から前記駆動手段へ出力可能とした請求項８または９記載のレーザ加工装置。
【請求項１１】
第二のレンズをレーザ光路に対して外れる方向および入る方向に移動自在とした請求項８記載のレーザ加工装置。
【請求項１２】
加工プログラムに応じて、レーザ発振器、コリメータ、マスクを制御する制御部と、第二のレンズを駆動する駆動手段とを備え、第二のレンズをレーザ光路に対して外れる方向および入る方向に移動させる信号を前記制御部から前記駆動手段へ出力可能とした請求項８または１１記載のレーザ加工装置。
【請求項１３】
レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、レーザ光路上のマスク後方に、コリメータのレンズの焦点よりも焦点距離が長い複数種の第二のレンズを交換自在に配置したことを特徴とするレーザ加工装置。
【請求項１４】
加工プログラムに応じて、レーザ発振器、コリメータ、マスクを制御する制御部と、第二のレンズをレーザ光路へ出し入れする駆動手段とを備え、複数種の第二のレンズのうち所望のレンズのみをレーザ光路に入れる駆動信号を、前記制御部から前記駆動手段へ出力可能とした請求項１３記載のレーザ加工装置。
【発明の詳細な説明】
【０００１】
【発明の属する技術分野】
この発明は、レーザ加工装置に関する。
【０００２】
【従来の技術】
図４はレーザ穴明け装置の一例（特開平０９−２９３９４６）を示しており、レーザ発振器、外部光学系、ＸＹテーブル、制御装置で構成される。図５は結像光学系の一例（特開平０６−１７０５７６）である。レーザ発振器５１から出射されたレーザビームは数枚のべンドミラー５８を経由し、結像光学系のコリメータレンズ５２通過後のマスク５３で必要な部分が切り出されて被加工物５０の加工点まで導かれる。加工する穴径に応じてマスク径を選択し、被加工物表面に結像させて加工する。
【０００３】
【発明が解決しようとする課題】
プリント基板の穴明け加工において、加工したい形状に応じて使用するマスクの種類（径）を選択して加工物への照射ビーム径を変えるが、材質によって加工に必要なエネルギーは大きく異なるため、コリメータレンズ間隔を変えてマスクへの照射ビーム径を変え、エネルギーの通過率を調整する。その時レンズ間隔によってはコリメータ第２レンズ通過後のビームの発散角が大きくなり、マスク通過後のビームが拡散する。また、小口径加工においては小口径マスクを用いるため、通過したビームのうち回折によって拡散する割合が多くなる。そのため、光路途中でビーム径がベンドミラーやガルバノミラー口径を越えるため、加工点での結像が不完全となり、エネルギーも散逸するので加工品質が劣化するという問題がある。
【０００４】
したがって、この発明の目的は、コリメータ通過後のレーザビームの発散の影響を緩和し、大口径加工や小口径加工における加工品質の確保できるレーザ加工装置を提供することである。
【０００５】
【課題を解決するための手段】
上記課題を解決するためにこの発明の請求項１記載のレーザ加工装置は、レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、前記コリメータとマスクとの間に、コリメータのレンズの焦点よりも焦点距離が長い第一のレンズを、レーザ光路に対して移動自在に設けた。
【０００６】
加工穴径が非常に大きい場合や小さい場合、コリメータレンズ間隔を変えてビーム径を拡大または縮小させるため、２枚組のコリメータレンズを透過したレーザ光は大きな発散角となって光路を伝搬する。そのため、レーザ光の周辺部が大きく広がって光路中のベンドミラーやガルバノミラーからはみ出し、レーザ発振器出口から加工点までのエネルギー伝達率は大幅に減少する。そこで、コリメータレンズとマスクの間にコリメータレンズよりも焦点距離の長い第一のレンズを１枚挿入すると、コリメータレンズ通過後のレーザ光の発散が緩和され、光路途中でのエネルギー損失が減少するため、レーザ発振器出口出力が同じでも加工点においてより高いエネルギーまたはエネルギー密度が確保できる。また、加工点での結像状態が改善される。
【０００７】
請求項２記載のレーザ加工装置は、請求項１記載のレーザ加工装置において、第一のレンズをレーザ光路に沿った方向に移動自在とした。このように、第一のレンズをレーザ光路に沿った方向に移動自在としたので、第一のレンズを光軸方向に沿って移動することによりレーザ光の発散角を変えられるため、マスクに照射するビーム径を使用するマスク径に応じて変えることができる。
【０００８】
請求項３記載のレーザ加工装置は、請求項１または２記載のレーザ加工装置において、加工プログラムに応じて、レーザ発振器、コリメータ、マスクを制御する制御部と、第一のレンズを駆動する駆動手段とを備え、第一のレンズをレーザ光路に沿った方向に移動させる信号を前記制御部から前記駆動手段へ出力可能とした。このように、加工プログラムに応じて、レーザ発振器、コリメータ、マスクを制御する制御部と、第一のレンズを駆動する駆動手段とを備え、第一のレンズをレーザ光路に沿った方向に移動させる信号を制御部から駆動手段へ出力可能としたので、加工する穴径や材質に応じたマスク種類（径）やマスクを通過するエネルギーの割合を書き込んだ加工プログラムに付属する加工条件テーブルに従って制御部から第一のレンズの駆動手段に指令が送られ、レーザ光の発散が少ない位置に第一のレンズが移動する。
【０００９】
請求項４記載のレーザ加工装置は、請求項１記載のレーザ加工装置において、第一のレンズをレーザ光路に対して外れる方向および入る方向に移動自在とした。このように、第一のレンズをレーザ光路に対して外れる方向および入る方向に移動自在としたので、第一のレンズのレーザ光路からの出し入れがなされ、使用、不使用とすることができる。
【００１０】
請求項５記載のレーザ加工装置は、請求項１または４記載のレーザ加工装置において、加工プログラムに応じて、レーザ発振器、コリメータ、マスクを制御する制御部と、第一のレンズを駆動する駆動手段とを備え、第一のレンズをレーザ光路に対して外れる方向および入る方向に移動させる信号を前記制御部から前記駆動手段へ出力可能とした。
【００１１】
このように、加工プログラムに応じて、レーザ発振器、コリメータ、マスクを制御する制御部と、第一のレンズを駆動する駆動手段とを備え、第一のレンズをレーザ光路に対して外れる方向および入る方向に移動させる信号を制御部から駆動手段へ出力可能としたので、加工プログラムに付属する加工条件テーブルに第一のレンズの使用／不使用を記入しておくと、それに従って制御部から第一のレンズの駆動手段に指令が送られ、第一のレンズの光路からの出し入れがなされる。
【００１２】
請求項６記載のレーザ加工装置は、レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、前記コリメータとマスクとの間に、コリメータのレンズの焦点よりも焦点距離が長い複数種の第一のレンズを交換自在に配置した。
【００１３】
加工穴径や材質により第一のレンズの適した焦点距離が異なる。そのため、コリメータとマスクとの間に、コリメータのレンズの焦点よりも焦点距離が長い複数種の第一のレンズを交換自在に配置したので、請求項１の作用効果に加えて第一のレンズの指定された種類が光路に組み込まれる。
【００１４】
請求項７記載のレーザ加工装置は、請求項６記載のレーザ加工装置において、加工プログラムに応じて、レーザ発振器、コリメータ、マスクを制御する制御部と、第一のレンズをレーザ光路へ出し入れする駆動手段とを備え、複数種の第一のレンズのうち所望のレンズのみをレーザ光路に入れる駆動信号を、前記制御部から前記駆動手段へ出力可能とした。このように、加工プログラムに応じて、レーザ発振器、コリメータ、マスクを制御する制御部と、第一のレンズをレーザ光路へ出し入れする駆動手段とを備え、複数種の第一のレンズのうち所望のレンズのみをレーザ光路に入れる駆動信号を、制御部から駆動手段へ出力可能としたので、加工プログラムに付属する加工条件テーブルに書き込まれた第一のレンズ種類に従って制御部から第一のレンズを複数種備えた駆動手段に指令が送られ、指定された種類が光路に組み込まれる。
【００１５】
請求項８記載のレーザ加工装置は、レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、レーザ光路上のマスク後方に、コリメータのレンズの焦点よりも焦点距離が長い第二のレンズを、レーザ光路に対して移動自在に設けた。
【００１６】
コリメータレンズ通過後のビームが発散していなくても、マスクを通過したビームは回折によって拡散するため、小口径マスクでは回折光り拡散の影響が大きくなる。そこで、マスク後方にコリメータレンズよりも焦点距離の長い第二のレンズを１枚挿入すると、マスク通過後のレーザ光の拡散が緩和され、光路途中でのビームの蹴られやエネルギー損失が減少し、加工点での結像状態が改善される。
【００１７】
請求項９記載のレーザ加工装置は、請求項８記載のレーザ加工装置において、第二のレンズをレーザ光路に沿った方向に移動自在とした。このように、第二のレンズをレーザ光路に沿った方向に移動自在としたので、第二のレンズを光軸方向に沿って移動することによりビームの発散状態が変わり、ビームウェストの位置を変えることができるため、光彩絞りやガルバノミラー等、有効径の小さい光学部品に極力近い所にビームウェスト位置がくるような位置まで第二レンズを移動することにより、ビームの蹴られやエネルギー損失を緩和することができる。
【００１８】
請求項１０記載のレーザ加工装置は、請求項８または９記載のレーザ加工装置において、加工プログラムに応じて、レーザ発振器、コリメータ、マスクを制御する制御部を設け、第二のレンズをレーザ光路に沿った方向に移動させる信号を前記制御部から出力可能とした。このように、加工プログラムに応じて、レーザ発振器、コリメータ、マスクを制御する制御部を設け、第二のレンズをレーザ光路に沿った方向に移動させる信号を制御部から出力可能としたので、加工する穴径や材質に応じたマスク種類（径）やマスクを通過するエネルギーの割合を書き込んだ加工プログラムに付属する加工条件テーブルに従って制御部から第二のレンズの駆動手段に指令が送られ、ビームのエネルギー損失が少ない位置に第二のレンズが移動する。
【００１９】
請求項１１記載のレーザ加工装置は、請求項８記載のレーザ加工装置において、第二のレンズをレーザ光路に対して外れる方向および入る方向に移動自在とした。このように、第二のレンズをレーザ光路に対して外れる方向および入る方向に移動自在としたので、第二のレンズのレーザ光路からの出し入れがなされ、使用、不使用とすることができる。
【００２０】
請求項１２記載のレーザ加工装置は、請求項８または１１記載のレーザ加工装置において、加工プログラムに応じて、レーザ発振器、コリメータ、マスクを制御する制御部を設け、第一のレンズをレーザ光路に対して外れる方向および入る方向に移動させる信号を前記制御部から出力可能とした。このように、加工プログラムに応じて、レーザ発振器、コリメータ、マスクを制御する制御部を設け、第一のレンズをレーザ光路に対して外れる方向および入る方向に移動させる信号を制御部から出力可能としたので、加工プログラムに付属する加工条件テーブルに第二のレンズの使用／不使用を記入しておくと、それに従って制御装置から第二のレンズの駆動装置に指令が送られ、第二のレンズの光路からの出し入れがなされる。
【００２１】
請求項１３記載のレーザ加工装置は、レーザ光を出力するレーザ発振器と、前記レーザ発振器から出力されたレーザ光の径を可変する複数のレンズからなるコリメータと、前記レーザ発振器から被加工物へ導くレーザ光路の中で被加工物とコリメータの間に配置されコリメータ通過後のレーザ光を通過させるパターンを有するマスクとを備え、レーザ光路上のマスク後方に、コリメータのレンズの焦点よりも焦点距離が長い複数種の第二のレンズを交換自在に配置した。
【００２２】
このように、レーザ光路上のマスク後方に、コリメータのレンズの焦点よりも焦点距離が長い複数種の第二のレンズを交換自在に配置したので、請求項８の作用効果に加えて第二のレンズの指定された種類が光路に組み込まれる。
【００２３】
請求項１４記載のレーザ加工装置は、請求項１３記載のレーザ加工装置において、加工プログラムに応じて、レーザ発振器、コリメータ、マスクを制御する制御部と、第二のレンズをレーザ光路へ出し入れする駆動手段とを備え、複数種の第二のレンズのうち所望のレンズのみをレーザ光路に入れる駆動信号を、前記制御部から前記駆動手段へ出力可能とした。このように、加工プログラムに応じて、レーザ発振器、コリメータ、マスクを制御する制御部と、第二のレンズをレーザ光路へ出し入れする駆動手段とを備え、複数種の第二のレンズのうち所望のレンズのみをレーザ光路に入れる駆動信号を、制御部から駆動手段へ出力可能としたので、加工テーブルに付属する加工条件テーブルに書き込まれた第二のレンズ種類に従って制御部から第二のレンズを複数種備えた駆動手段に指令が送られ、指定された種類が光路に組み込まれる。
【００２４】
【発明の実施の形態】
この発明の第１の実施の形態を図１に基づいて説明する。図１はこの発明の第１の実施の形態のレーザ加工装置の概念図である。
【００２５】
図１に示すように、レーザ光を出力するレーザ発振器１と、レーザ発振器１から出力されたレーザ光の径を可変する複数のレンズからなるコリメータ２と、レーザ発振器１から被加工物へ導くレーザ光路の中で被加工物とコリメータ２の間に配置されコリメータ通過後のレーザ光を通過させるパターンを有するマスク４とを備え、コリメータ２とマスク４との間に、コリメータ２のレンズの焦点よりも焦点距離が長い第一のレンズ３を、レーザ光路に沿った方向、およびレーザ光路に対して外れる方向および入る方向に移動自在および交換自在に設けた。
【００２６】
この場合、炭酸ガスレーザ発振器１から出射されたレーザ光は反射鏡、２枚組のコリメータレンズ（焦点距離５インチと５インチまたは３インチ）２、第一のレンズ（焦点距離１５インチの凸レンズ）３、マスク（マスク単独で固定される場合もマスクチェンジャに複数の種類のマスクが取り付けられる場合もある）４、Ｚ軸に固定されたガルバノミラー５、ｆθレンズ６を通り、２軸（Ｘ，Ｙ）加工テーブル７上のプリント基板上に集光され、穴が加工される。
【００２７】
８は自動制御装置であり、Ｘ，Ｙ，Ｚの各軸の制御、コリメータレンズ（２枚組のうち加工点に近い側のレンズ）の切り替え、第一のレンズ３の移動、出し入れ、マスクチェンジャによるマスク径の切り替えの制御を司る。第一のレンズ３は図２に示すように、光路に沿った方向及び垂直な方向に駆動手段であるエアシリンダ１０にて駆動される。マスク径が７．５ｍｍ以上の大口径加工の場合、制御装置の指令でエアシリンダ１０により、コリメータレンズ２（焦点距離５インチ−５インチ）間隔の適正な設定とともに第一のレンズ３をマスクチェンジャの手前５０〜３００ｍｍ位の、ビーム径がレンズの有効径を越えない範囲で極力マスクに近い適正な位置に固定する。また、マスク径が２〜５ｍｍ程度の加工でレーザ光の発散による支障のない場合、第一のレンズ３は制御装置８の指令によりエアシリンダ１０が作動して光路外にはずれる。また、マスク径が１ｍｍ以下の小口径加工の場合、コリメータレンズ２の組み合わせ切り替え（焦点距離５インチ−３インチ）、第一のレンズ３の光路への挿入がなされる。
【００２８】
レンズの移動はエアシリンダに限らず、モータ等の他の駆動手段を用いてもよい。マスク径１ｍｍ程度の小径マスクを数十％レべルの高いエネルギー通過率設定でビームを縮小する場合、第一のレンズ３に凹レンズを用いる。コリメータレンズ２を通過したビームのビームウェストがマスクチェンジャより手前にある場合、第一のレンズ３は凹レンズ、凸レンズのどちらを用いても良い。凹レンズを用いる場合、ビームウェストの少し手前に挿入する。凸レンズを用いる場合、ビームウェストを少し過ぎた位置に挿入する。レーザ発振器１がＵＶ−ＹＡＧレーザ等、炭酸ガスレーザ以外の種類の場合、外部光学系のミラーやコリメータレンズ２の種類や配置、マスク径は異なるが、前述と同様の方法で長焦点レンズの利用が可能である。
【００２９】
このように、コリメータレンズ２とマスク４の間にコリメータレンズ２よりも焦点距離の長い第一のレンズ３を挿入し、マスク４に入射するレーザビームの発散を抑えて加工点に到達するエネルギーを確保する。また、第一のレンズ３を光軸方向に移動自在とし、マスク４に対する照射径を変えて大口径から小口径まで適用可能とする。
【００３０】
この発明の第２の実施の形態について説明する。
【００３１】
第１の実施の形態において、加工プログラムに応じて、レーザ発振器１、コリメータ２、マスク４を制御する制御部８と、第一のレンズ３を駆動する駆動手段１０とを備え、第一のレンズ３をレーザ光路に沿った方向に移動させる信号、レーザ光路に対して外れる方向および入る方向に移動させる信号および複数種の第一のレンズ３のうち所望のレンズのみをレーザ光路に入れる駆動信号を制御部８から駆動手段１０へ出力可能とした。
【００３２】
加工プログラムに付属する加工条件テーブルには材質・穴径・樹脂厚・表面銅箔の有無／穴径・コリメータレンズの選択・コリメータ第２レンズ位置・長焦点レンズの選択・長焦点レンズ位置・コリメータレンズの選択・コリメータ第２レンズ位置・マスク穴径・加工モード・パルス幅・周波数・ショット数が記載されている。加工時に加工条件テーブル一覧表から加工条件テーブルを選択すると自動制御装置からの指令によりマスクチェンジャ、コリメータレンズ、長焦点レンズの各駆動用モータ及びエアシリンダが作動してその条件に合ったセッテイングがなされる。
【００３３】
このように、加工プログラムに付属する加工条件テーブルに第一のレンズ３の位置（距離）を書き込み、制御装置８の指令により駆動手段１０で加工に適した位置に第一のレンズ３を移動できるようにする。また、加工プログラム内容により第一のレンズ３の使用／不使用を加工条件テーブルに書き込み、制御装置８の指令により駆動手段１０でレーザの光路から出し入れする。また、焦点距離の異なる第一のレンズ３を複数種設け、加工プログラムに応じて所定の種類の第一のレンズ３に交換してレーザの光路に入れることができる。
【００３４】
この発明の第３の実施の形態を図３に基づいて説明する。
【００３５】
図３に示すように、レーザ光を出力するレーザ発振器１と、レーザ発振器１から出力されたレーザ光の径を可変する複数のレンズからなるコリメータ２と、レーザ発振器１から被加工物へ導くレーザ光路の中で被加工物とコリメータ２の間に配置されコリメータ通過後のレーザ光を通過させるパターンを有するマスク４とを備え、レーザ光路上のマスク４後方に、コリメータ２のレンズの焦点よりも焦点距離が長い第二のレンズ９を、レーザ光路に沿った方向、およびレーザ光路に対して外れる方向および入る方向に移動自在および交換自在に設けた。
【００３６】
また、加工プログラムに応じて、レーザ発振器１、コリメータ２、マスク４を制御する制御部８と、第二のレンズ９を駆動する駆動手段１０とを備え、第二のレンズ９をレーザ光路に沿った方向に移動させる信号、レーザ光路に対して外れる方向および入る方向に移動させる信号および複数種の第二のレンズ９のうち所望のレンズのみをレーザ光路に入れる駆動信号を制御部８から駆動手段１０へ出力可能とした。
【００３７】
この場合、口径φ１．５ｍｍ以下のマスク４を使用時、制御装置８の指令によりエアシリンダが作動してマスク４後方に第二のレンズ９（焦点距離２０インチの凸レンズ）が挿入される。また、マスク４から第二のレンズ９までの距離は、光彩絞りにて感熱紙バーンパターンが最小となる位置にセットする。第二のレンズ９の光軸方向の移動をサーボモータで行うようにすれば、前記位置を加工プログラムに付属する加工条件テーブルに書き込んでおき、以後自動的に同じ設定が再現できる。口径φ２ｍｍ以上のマスク４を使用する時は、マスク４通過後のビームの回折の影響が少なくなり、第二のレンズ９は不要となるので制御装置８の指令によりエアシリンダが作動して光路外にはずれる。また、マスク４を通過したビームはマスク径によって回折後の拡散度合が異なるため、マスク径に従って使用する第二のレンズ９の種類を変えても良い。（例えば、焦点距離３０インチ、２０インチ、１５インチを使い分ける。）この場合、第二のレンズ９の光軸方向の位置を変えて最小となる光彩絞りにおける感熱紙バーンパターンが第二のレンズ９の種類を変えて最小となる種類の第二のレンズ９を選択する。使用する第二のレンズ９の種類、光軸方向の固定位置を加工条件テーブルに書き込んでおけば、制御装置８の指令によりエアシリンダやサーボモータで同じ設定が再現できる。
【００３８】
このように、マスク４後方にコリメータレンズ２よりも焦点距離の長い第二のレンズ９を挿入し、マスク４通過後の回折によるビーム拡散を緩和し、加工点での結像に対する悪影響を極力緩和する。また、第二のレンズ９を光軸方向に移動自在とし、マスク径の違いによる回折状況の差に応じて光彩絞りやガルバノミラー等、口径の小さい箇所にビームウェストを近づける。また、加工プログラムに付属する加工条件テーブルに第二のレンズ９の位置（距離）を書き込み、制御装置８の指令により駆動手段で加工に適した位置に第二のレンズ９を移動できるようにする。また、加工プログラム内容により第二のレンズ９の使用／不使用を加工条件テーブルに書き込み、制御装置８の指令により駆動手段でレーザの光路から出し入れする。また、焦点距離の異なる第二のレンズ９を複数種設け、加工プログラムに応じて所定の種類の第二のレンズ９に交換してレーザの光路に入れることができる。
【００３９】
【発明の効果】
この発明の請求項１記載のレーザ加工装置によれば、コリメータレンズとマスクの間にコリメータレンズよりも焦点距離の長い第一のレンズを１枚挿入すると、コリメータレンズ通過後のレーザ光の発散が緩和され、光路途中でのエネルギー損失が減少するため、レーザ発振器出口出力が同じでも加工点においてより高いエネルギーまたはエネルギー密度が確保できる。また、加工点での結像状態が改善される。このように、マスク通過後のレーザビームの発散を抑えて光路途中からのはみ出しを防止し、加工穴径によらず安定した加工品質の確保を図ることができる。
【００４０】
請求項２では、第一のレンズをレーザ光路に沿った方向に移動自在としたので、第一のレンズを光軸方向に沿って移動することによりレーザ光の発散角を変えられるため、マスクに照射するビーム径を使用するマスク径に応じて変えることができる。このため、コリメータレンズ位置の設定に応じてビームの発散具合を調整し、光路途中のべンドミラー等の有効径を越えないビーム径ならしめ、安定した加工品質の確保を図ることができる。
【００４１】
請求項３では、加工プログラムに応じて、レーザ発振器、コリメータ、マスクを制御する制御部と、第一のレンズを駆動する駆動手段とを備え、第一のレンズをレーザ光路に沿った方向に移動させる信号を制御部から駆動手段へ出力可能としたので、加工する穴径や材質に応じたマスク種類（径）やマスクを通過するエネルギーの割合を書き込んだ加工プログラムに付属する加工条件テーブルに従って制御部から第一のレンズの駆動手段に指令が送られ、レーザ光の発散が少ない位置に第一のレンズが移動する。
【００４２】
請求項４では、第一のレンズをレーザ光路に対して外れる方向および入る方向に移動自在としたので、第一のレンズのレーザ光路からの出し入れがなされ、使用、不使用とすることができる。このため、第一のレンズを必要に応じて光路から出し入れができ、加工穴のテーパ角度を変えることができる。
【００４３】
請求項５では、加工プログラムに応じて、レーザ発振器、コリメータ、マスクを制御する制御部と、第一のレンズを駆動する駆動手段とを備え、第一のレンズをレーザ光路に対して外れる方向および入る方向に移動させる信号を制御部から駆動手段へ出力可能としたので、加工プログラムに付属する加工条件テーブルに第一のレンズの使用／不使用を記入しておくと、それに従って制御部から第一のレンズの駆動手段に指令が送られ、第一のレンズの光路からの出し入れがなされる。
【００４４】
この発明の請求項６記載のレーザ加工装置によれば、コリメータとマスクとの間に、コリメータのレンズの焦点よりも焦点距離が長い複数種の第一のレンズを交換自在に配置したので、請求項１の作用効果に加えて第一のレンズの指定された種類が光路に組み込まれる。このため、第一のレンズの種類を使い分けて加工可能な穴形状の範囲が広がる。
【００４５】
請求項７では、加工プログラムに応じて、レーザ発振器、コリメータ、マスクを制御する制御部と、第一のレンズをレーザ光路へ出し入れする駆動手段とを備え、複数種の第一のレンズのうち所望のレンズのみをレーザ光路に入れる駆動信号を、制御部から駆動手段へ出力可能としたので、加工プログラムに付属する加工条件テーブルに書き込まれた第一のレンズ種類に従って制御部から第一のレンズを複数種備えた駆動手段に指令が送られ、指定された種類が光路に組み込まれる。
【００４６】
この発明の請求項８記載のレーザ加工装置によれば、マスク後方にコリメータレンズよりも焦点距離の長い第二のレンズを１枚挿入すると、マスク通過後のレーザ光の拡散が緩和され、光路途中でのビームの蹴られやエネルギー損失が減少し、加工点での結像状態が改善される。このため、同じ径の小口径用マスクでより小口径で真円度の良好な穴加工が可能となる。
【００４７】
請求項９では、第二のレンズをレーザ光路に沿った方向に移動自在としたので、第二のレンズを光軸方向に沿って移動することによりビームの発散状態が変わり、ビームウェストの位置を変えることができるため、光彩絞りやガルバノミラー等、有効径の小さい光学部品に極力近い所にビームウェスト位置がくるような位置まで第二レンズを移動することにより、ビームの蹴られやエネルギー損失を緩和することができる。このため、第二のレンズの光軸への挿入位置が自動的に再現できる。
【００４８】
請求項１０では、加工プログラムに応じて、レーザ発振器、コリメータ、マスクを制御する制御部を設け、第二のレンズをレーザ光路に沿った方向に移動させる信号を制御部から出力可能としたので、加工する穴径や材質に応じたマスク種類（径）やマスクを通過するエネルギーの割合を書き込んだ加工プログラムに付属する加工条件テーブルに従って制御部から第二のレンズの駆動手段に指令が送られ、ビームのエネルギー損失が少ない位置に第二のレンズが移動する。
【００４９】
請求項１１では、第二のレンズをレーザ光路に対して外れる方向および入る方向に移動自在としたので、第二のレンズのレーザ光路からの出し入れがなされ、使用、不使用とすることができる。このため、マスク通過後のビームの回折の影響が大きい場合と少ない場合とで第二のレンズを必要に応じて光路中への出し入れすることができる。
【００５０】
請求項１２では、加工プログラムに応じて、レーザ発振器、コリメータ、マスクを制御する制御部を設け、第一のレンズをレーザ光路に対して外れる方向および入る方向に移動させる信号を制御部から出力可能としたので、加工プログラムに付属する加工条件テーブルに第二のレンズの使用／不使用を記入しておくと、それに従って制御装置から第二のレンズの駆動装置に指令が送られ、第二のレンズの光路からの出し入れがなされる。
【００５１】
この発明の請求項１３記載のレーザ加工装置によれば、レーザ光路上のマスク後方に、コリメータのレンズの焦点よりも焦点距離が長い複数種の第二のレンズを交換自在に配置したので、請求項８の作用効果に加えて第二のレンズの指定された種類が光路に組み込まれる。このため、小口径マスクの種類に応じて使用する第二のレンズを選択し、適正な位置に固定することができる。
【００５２】
請求項１４では、加工プログラムに応じて、レーザ発振器、コリメータ、マスクを制御する制御部と、第二のレンズをレーザ光路へ出し入れする駆動手段とを備え、複数種の第二のレンズのうち所望のレンズのみをレーザ光路に入れる駆動信号を、制御部から駆動手段へ出力可能としたので、加工テーブルに付属する加工条件テーブルに書き込まれた第二のレンズ種類に従って制御部から第二のレンズを複数種備えた駆動手段に指令が送られ、指定された種類が光路に組み込まれる。
【図面の簡単な説明】
【図１】この発明の第１の実施の形態のレーザ加工装置の概念図である。
【図２】この発明の第１の実施の形態における第１のレンズの駆動を示す斜視図である。
【図３】この発明の第２の実施の形態のレーザ加工装置の概念図である。
【図４】従来のレーザ穴明け装置の一例を示すブロック図である。
【図５】従来の結像光学系の一例を示す概念図である。
【符号の説明】
１  レーザ発振器
２  コリメータレンズ
３  長焦点レンズ（第一のレンズ）
４  マスク
５  ガルバノミラー
６  ｆθレンズ
７  加工テーブル
８  自動制御装置
９  長焦点レンズ（第二のレンズ）
【図１】
0003587805.tif 000002
【図２】
0003587805.tif 000003
【図３】
0003587805.tif 000004
【図４】
0003587805.tif 000005
【図５】
0003587805.tif 000006